(57)【特許請求の範囲】
【請求項１】
ＡＥＤが収容されたＡＥＤ収容ケースと、携帯端末と、前記ＡＥＤ収容ケース及び前記携帯端末と通信ネットワークを介して接続されたサーバとを備えたＡＥＤ位置情報更新システムであって、
前記ＡＥＤ収容ケースは、
前記ＡＥＤ収容ケース又は前記ＡＥＤの識別情報を含むビーコンを発信するように構成されたビーコン発信部を備え、
前記携帯端末は、
前記携帯端末を所持する通行人が前記ビーコン発信部から発信されたビーコンを受信可能なビーコン受信可能範囲内に存在する場合に、前記ビーコンを受信するように構成されたビーコン受信部と、
前記受信したビーコンから前記識別情報を取得するように構成された携帯端末制御部と、
前記携帯端末の位置情報を取得するように構成された取得部と、
前記識別情報と前記携帯端末の位置情報を前記サーバに送信するように構成された第１ネットワーク通信部と、を備え、
前記サーバは、
前記識別情報と前記携帯端末の位置情報を受信するように構成された第２ネットワーク通信部と、
互いに関連付けられた複数のＡＥＤ収容ケース又は複数のＡＥＤの識別情報と位置情報を含む位置情報テーブルを格納するように構成された記憶部と、
前記受信した識別情報及び携帯端末の位置情報に基づいて、前記位置情報テーブルの内容を更新するように構成されたサーバ制御部と、を備えるＡＥＤ位置情報更新システム。
【請求項２】
前記ビーコンは、前記ＡＥＤの使用可否に関する情報をさらに含む請求項１に記載のＡＥＤ位置情報更新システム。
【請求項３】
通信ネットワークを介してサーバに接続され、ビーコン受信部と、取得部と、第１ネットワーク通信部と、携帯端末制御部と、ディスプレイとを備えた携帯端末に組み込まれる携帯端末プログラムであって、
前記携帯端末プログラムは、前記携帯端末制御部に、
前記携帯端末を所持する通行人が、ＡＥＤが収容されたＡＥＤ収容ケースから発信されたビーコンを受信可能なビーコン受信可能範囲内に存在する場合に、前記ビーコンを受信するように前記ビーコン受信部を制御する機能と、
前記受信したビーコンから前記ＡＥＤ収容ケース又は前記ＡＥＤの識別情報を取得する機能と、
前記携帯端末の位置情報を取得するように前記取得部を制御する機能と、
前記識別情報と前記携帯端末の位置情報のうち少なくとも一つを前記サーバに送信するように前記第１ネットワーク通信部を制御する機能と、
前記サーバによって選択されたＡＥＤ収容ケースの位置情報を受信するように前記第１ネットワーク通信部を制御する機能と、
前記選択されたＡＥＤ収容ケースの位置情報に基づいて、前記選択されたＡＥＤ収容ケースの位置を示すマップを前記ディスプレイ上に表示する機能と、を実現させる、
携帯端末プログラム。
【請求項４】
前記ビーコンは、前記ＡＥＤの使用可否に関する情報を含む請求項３に記載の携帯端末プログラム。
【請求項５】
ＡＥＤが収容された複数のＡＥＤ収容ケースと、
第１の携帯端末と、
第２の携帯端末と、
前記複数のＡＥＤ収容ケース及び前記第１及び第２の携帯端末と通信ネットワークを介して接続されたサーバと、を備えたシステムであって、
前記第１及び第２の携帯端末の各々は、ビーコン受信部と、携帯端末制御部と、取得部と、第１ネットワーク通信部とを備え、
前記サーバは、第２ネットワーク通信部と、記憶部と、サーバ制御部とを備え、
前記複数のＡＥＤ収容ケースの各々は、ビーコン発信部と、第３ネットワーク通信部と、アラート表示部と、出力部とを備え、
前記ＡＥＤの位置情報を更新する場合では、
前記ビーコン発信部は、前記ＡＥＤ収容ケース又は前記ＡＥＤの識別情報を含むビーコンを発信し、
前記第１の携帯端末を所持する通行人が、前記ビーコン発信部から発信されたビーコンを受信可能なビーコン受信可能範囲内に存在するときに、前記第１の携帯端末の前記ビーコン受信部は、前記ビーコンを受信し、
前記第１の携帯端末の前記携帯端末制御部は、前記受信したビーコンから前記識別情報を取得し、
前記第１の携帯端末の前記取得部は、前記第１の携帯端末の位置情報を取得し、
前記第１の携帯端末の前記第１ネットワーク通信部は、前記識別情報と前記第１携帯端末の位置情報を前記サーバに送信し、
前記第２ネットワーク通信部は、前記識別情報と前記第１携帯端末の位置情報を受信し、
前記サーバ制御部は、前記受信した識別情報及び第１携帯端末の位置情報に基づいて、前記記憶部に格納され、互いに関連付けられた前記複数のＡＥＤ収容ケース又は前記複数のＡＥＤの識別情報と位置情報を含む位置情報テーブルの内容を更新し、
前記第１又は第２の携帯端末から所定の範囲内にあるＡＥＤ収容ケースを前記複数のＡＥＤ収容ケースから探索する場合では、
前記第１又は第２の携帯端末の前記取得部は、自身の位置情報を取得し、
前記第１又は第２の携帯端末の前記第１ネットワーク通信部は、前記位置情報を前記サーバに送信し、
前記第２ネットワーク通信部は、前記位置情報を受信し、
前記サーバ制御部は、前記受信した位置情報及び前記位置情報テーブルに基づいて、前記第１又は第２の携帯端末から所定の範囲内にあるＡＥＤ収容ケースを前記複数のＡＥＤ収容ケースから選択し、
前記第２ネットワーク通信部は、前記位置情報及びアラート表示信号を前記選択されたＡＥＤ収容ケースに送信すると共に、前記選択されたＡＥＤ収容ケースの位置情報を前記第１又は第２の携帯端末に送信し、
前記選択されたＡＥＤ収容ケースの第３ネットワーク通信部は、前記アラート表示信号及び前記位置情報を受信し、
前記選択されたＡＥＤ収容ケースのアラート表示部は、前記アラート表示信号に従って、アラートを表示し、
前記選択されたＡＥＤ収容ケースの出力部は、前記位置情報に基づいて、前記第１又は第２の携帯端末の位置を示す第１マップを出力し、
前記第１又は第２の携帯端末の前記第１ネットワーク通信部は、前記選択されたＡＥＤ収容ケースの位置情報を受信し、
前記第１又は第２の携帯端末の前記携帯端末制御部は、前記選択されたＡＥＤ収容ケースの位置情報に基づいて、前記選択されたＡＥＤ収容ケースの位置を示す第２マップをディスプレイ上に表示するＡＥＤシステム。
【請求項６】
前記第２ネットワーク通信部はＡＥＤの使用可否に関する情報を受信し、
前記サーバ制御部は、前記ＡＥＤの使用可否に関する情報に基づき、ＡＥＤ収容ケースを選択する請求項５に記載のＡＥＤシステム。
【発明の詳細な説明】
【技術分野】
【０００１】
本発明は、ＡＥＤ位置情報更新システムに関する。また、本発明は、ＡＥＤ収容ケース探索システム、携帯端末プログラム、ＡＥＤ収容ケース及びＡＥＤシステムに関する。
【背景技術】
【０００２】
心室細動によって突然の心停止を起こした患者の心臓に強い電気的刺激を与えることで患者の心臓の機能を回復させる自動体外式除細動器（以下、ＡＥＤと称する）は現在街中の至るところに設置されている。通常、ＡＥＤは、専用の収容ケース（以下、ＡＥＤ収容ケースと称する）に収容されている。ＡＥＤが収容されたＡＥＤ収容ケースをオフィスや公共施設等に設置する際には、設置者はＡＥＤ収容ケースの位置情報を登録する一方で、ＡＥＤを収容するＡＥＤ収容ケースの設置場所は様々な事情により変更されることがあるため、定期的にＡＥＤ収容ケースの位置情報を更新する必要がある。
【０００３】
特許文献１では、除細動器（ＡＥＤ）の位置情報を取得するシステムが開示されている。特許文献１の開示によれば、ＡＥＤは、ＡＥＤの位置情報を取得するための位置情報取得部を備えており、当該位置情報取得部によって取得されたＡＥＤの位置情報が救命支援装置（サーバ）に定期的に送信され、当該位置情報はサーバに記憶される。このように、特許文献１では、ＡＥＤ自体が位置を取得できる機能（ＧＰＳ機能等）を有しているため、ＡＥＤの最新の位置情報を把握することができる。
【先行技術文献】
【特許文献】
【０００４】
【特許文献１】特許第５２３７９４０号公報
【発明の概要】
【発明が解決しようとする課題】
【０００５】
しかしながら、特許文献１の技術では、ＡＥＤ自体が位置取得機能を備えていることが前提条件となっているため、位置取得機能を備えていない既存のＡＥＤについての位置情報を取得することができない。このように、特許文献１の技術では、位置取得機能を備えていない既存のＡＥＤの位置情報を更新することができない。
【０００６】
本発明は、ＡＥＤの機種に依存せずにＡＥＤの位置情報を更新できるＡＥＤ位置情報更新システムを提供することを目的とする。また、本発明は、ＡＥＤ収容ケース探索システム、携帯端末プログラム、ＡＥＤ収容ケース及びＡＥＤシステムを提供することを目的とする。
【課題を解決するための手段】
【０００７】
本発明の一態様に係るＡＥＤ位置情報更新システムは、
ＡＥＤが収容されたＡＥＤ収容ケースと、携帯端末と、前記ＡＥＤ収容ケース及び前記携帯端末と通信ネットワークを介して接続されたサーバとを備え、
前記ＡＥＤ収容ケースは、
前記ＡＥＤ収容ケース又は前記ＡＥＤの識別情報を含む無線信号を発信するように構成された無線信号発信部を備え、
前記携帯端末は、
前記無線信号を受信するように構成された無線信号受信部と、
前記受信した無線信号から前記識別情報を取得するように構成された携帯端末制御部と、
前記携帯端末の位置情報を取得するように構成された取得部と、
前記識別情報と前記位置情報を前記サーバに送信するように構成された第１ネットワーク通信部と、を備え、
前記サーバは、
前記識別情報と前記位置情報を受信するように構成された第２ネットワーク通信部と、
互いに関連付けられた複数のＡＥＤ収容ケース又は複数のＡＥＤの識別情報と位置情報を含む位置情報テーブルを格納するように構成された記憶部と、
前記受信した識別情報及び位置情報に基づいて、前記位置情報テーブルの内容を更新するように構成されたサーバ制御部と、を備える。
【０００８】
上記構成によれば、携帯端末から取得される位置情報を用いることで、ＡＥＤの機種に依存せずにＡＥＤの位置情報を更新できるＡＥＤの位置情報更新システムを提供することができる。このため、特に、位置情報取得機能を備えていない既存のＡＥＤにも対応可能なＡＥＤ位置情報更新システムを提供することができる。
【０００９】
また、前記無線信号は、前記ＡＥＤの使用可否に関する情報をさらに含んでいてもよい。
【００１０】
上記構成によれば、無線信号がＡＥＤの使用可否に関する情報をさらに含むので、ＡＥＤの位置情報だけでなくＡＥＤの使用可否に関する情報を更新できるＡＥＤの位置情報更新システムを提供することができる。
【００１１】
本発明の一態様に係るＡＥＤ収容ケース探索システムは、ＡＥＤが収容された複数のＡＥＤ収容ケースと、携帯端末と、前記複数のＡＥＤ収容ケース及び前記携帯端末と通信ネットワークを介して接続されたサーバとを備え、
前記携帯端末は、
前記携帯端末の位置情報を取得するように構成された取得部と、
前記位置情報を前記サーバに送信するように構成された第１ネットワーク通信部と、を備え、
前記サーバは、
前記位置情報を受信するように構成された第２ネットワーク通信部と、
互いに関連付けられた前記複数のＡＥＤ収容ケース又は前記複数のＡＥＤの識別情報と位置情報を含む位置情報テーブルを格納するように構成された記憶部と、
前記受信した位置情報及び前記位置情報テーブルに基づいて、前記携帯端末から所定の範囲内にあるＡＥＤ収容ケースを前記複数のＡＥＤ収容ケースから選択するように構成されたサーバ制御部と、を備え、
前記第２ネットワーク通信部は、前記位置情報及びアラート表示信号を前記選択されたＡＥＤ収容ケースに送信すると共に、前記選択されたＡＥＤ収容ケースの位置情報を前記携帯端末に送信するように構成される。
【００１２】
上記構成によれば、携帯端末から所定の範囲内にあるＡＥＤ収容ケースを複数のＡＥＤ収容ケースから選択できるＡＥＤ収容ケース探索システムを提供することができる。本システムによれば、心室細動によって倒れた患者にＡＥＤをいち早く提供することができるため、ＡＥＤを用いた救命措置を患者に迅速に行うことができ、患者の救命率を飛躍的に向上させることができる。
【００１３】
また、前記複数のＡＥＤ収容ケースの各々は、
前記アラート表示信号及び前記位置情報を受信するように構成された第３ネットワーク通信部と、
前記アラート表示信号に従って、アラートを表示するように構成されたアラート表示部と、
前記位置情報に基づいて、前記携帯端末の位置を示す第１マップを出力するように構成された出力部と、を備え、
前記第１ネットワーク通信部は、前記選択されたＡＥＤ収容ケースの位置情報を受信するように構成されており、
前記携帯端末は、前記選択されたＡＥＤ収容ケースの位置情報に基づいて、前記選択されたＡＥＤ収容ケースの位置を示す第２マップをディスプレイ上に表示するように構成された携帯端末制御部をさらに備えてもよい。
【００１４】
上記構成によれば、携帯端末の位置を示す第１マップが選択されたＡＥＤ収容ケースに出力されると共に、選択されたＡＥＤ収容ケースの位置を示す第２マップが携帯端末に表示される。このように、携帯端末を所持する人は、携帯端末から所定の範囲内にあるＡＥＤ収容ケースの位置を第２マップにより把握できるので、いち早くＡＥＤを心室細動によって倒れた患者に提供することができる。さらに、ＡＥＤ収容ケースの付近にいる人は、アラートにより患者の存在に気づき、患者の位置を第１マップにより把握できるので、ＡＥＤ収容ケースに収容されたＡＥＤを患者にいち早く届けることができる。このように、ＡＥＤを用いた救命措置を患者に迅速に行うことができるため、患者の救命率を飛躍的に向上させることができる。
【００１５】
また、前記出力部は、前記第１マップを紙に印刷するように構成されたプリンタであってもよい。
【００１６】
上記構成によれば、選択されたＡＥＤ収容ケースの付近にいる人が、第１マップが印刷された紙を携帯することで、ＡＥＤ収容ケースに収容されたＡＥＤを患者に確実に届けることが可能となる。
【００１７】
前記第２ネットワーク通信部は、ＡＥＤの使用可否に関する情報を受信するように構成されており、
前記サーバ制御部は、前記ＡＥＤの使用可否に関する情報に基づいてＡＥＤ収容ケースを選択するように構成されていてもよい。
【００１８】
上記構成によれば、ＡＥＤの使用可否に関する情報に基づいてＡＥＤ収容ケースを選択するので、選択されたＡＥＤ収容ケースに収容されたＡＥＤが使用不可能であるといった状況を確実に防ぐことができる。特に、受信した位置情報、ＡＥＤの使用可否に関する情報及び位置情報テーブルに基づいて、携帯端末から所定の範囲内に存在しつつ、使用可能であるＡＥＤを備えたＡＥＤ収容ケースを選択することが可能となる。
【００１９】
本発明の一態様に係る携帯端末プログラムは、通信ネットワークを介してサーバに接続され、無線信号受信部と、取得部と、第１ネットワーク通信部と、携帯端末制御部と、ディスプレイとを備えた携帯端末に組み込まれており、
前記携帯端末プログラムは、前記携帯端末制御部に、
ＡＥＤが収容されたＡＥＤ収容ケースから発信された無線信号を受信するように前記無線信号受信部を制御する機能と、
前記受信した無線信号から前記ＡＥＤ収容ケース又は前記ＡＥＤの識別情報を取得する機能と、
前記携帯端末の位置情報を取得するように前記取得部を制御する機能と、
前記識別情報と前記位置情報のうち少なくとも一つを前記サーバに送信するように前記第１ネットワーク通信部を制御する機能と、
前記サーバによって選択されたＡＥＤ収容ケースの位置情報を受信するように前記第１ネットワーク通信部を制御する機能と、
前記選択されたＡＥＤ収容ケースの位置情報に基づいて、前記選択されたＡＥＤ収容ケースの位置を示すマップを前記ディスプレイ上に表示する機能と、を実現させる。
【００２０】
上記構成によれば、携帯端末プログラムを各個人が所有する携帯端末にインストールすることで、ＡＥＤの機種に依存せずにＡＥＤの位置情報を更新できるＡＥＤの位置情報更新システム及び携帯端末から所定の範囲内にあるＡＥＤ収容ケースを複数のＡＥＤ収容ケースから選択できるＡＥＤ収容ケース探索システムを構築することが可能となる。
【００２１】
また、前記無線信号は、前記ＡＥＤの使用可否に関する情報を含んでいてもよい。
【００２２】
上記構成によれば、無線信号がＡＥＤの使用可否に関する情報をさらに含むので、ＡＥＤの位置情報だけでなくＡＥＤの使用可否に関する情報を更新できるＡＥＤ位置情報更新システムを構築することが可能となる。
【００２３】
本発明の一態様に係るＡＥＤ収容ケースは、通信ネットワークを介してサーバに接続され、ＡＥＤが収容されたＡＥＤ収容ケースであって、前記ＡＥＤ収容ケース又は前記ＡＥＤの識別情報を含む無線信号を発信するように構成された無線信号発信部を備える。
【００２４】
上記構成によれば、ＡＥＤ収容ケース又はＡＥＤの識別情報を含む無線信号を発信するように構成された無線信号発信部を備えるＡＥＤ収容ケースを設置することで、ＡＥＤの機種に依存せずにＡＥＤの位置情報を更新できるＡＥＤ位置情報更新システムを構築することが可能となる。
【００２５】
また、前記ＡＥＤ収容ケースは、
前記サーバからアラート表示信号及び携帯端末の位置情報を受信するように構成されたネットワーク通信部と、
前記アラート表示信号に従って、アラートを表示するように構成されたアラート表示部と、
前記位置情報に基づいて、前記携帯端末の位置を示すマップを出力するように構成された出力部と、をさらに備えてもよい。
【００２６】
上記構成によれば、ＡＥＤ収容ケースがアラート表示すると共に携帯端末の位置を示すマップを出力するため、ＡＥＤ収容ケースの付近にいる人が、心室細動によって倒れた患者の存在に気づき、マップによりＡＥＤ収容ケースに収容されたＡＥＤを患者にいち早く届けることが可能となる。
【００２７】
また、前記ＡＥＤ収容ケースは、前記ＡＥＤと通信するように構成されたＡＥＤ通信部をさらに備えてもよい。
【００２８】
上記構成によれば、ＡＥＤ収容ケースはＡＥＤ通信部を備えるので、例えば、ＡＥＤ収容ケースはＡＥＤ通信部を介してＡＥＤの情報を取得することができる。
【００２９】
また、前記無線信号は、前記ＡＥＤの使用可否に関する情報を含んでもよい。
【００３０】
上記構成によれば、無線信号がＡＥＤの使用可否に関する情報をさらに含むので、ＡＥＤの位置情報だけでなくＡＥＤの使用可否に関する情報を更新できるＡＥＤの位置情報更新システムを構築することが可能となる。
【００３１】
本発明の一態様に係るＡＥＤシステムは、
ＡＥＤが収容された複数のＡＥＤ収容ケースと、
第１の携帯端末と、
第２の携帯端末と、
前記複数のＡＥＤ収容ケース及び前記第１及び第２の携帯端末と通信ネットワークを介して接続されたサーバと、を備え、
前記第１及び第２の携帯端末の各々は、無線信号受信部と、携帯端末制御部と、取得部と、第１ネットワーク通信部とを備え、
前記サーバは、第２ネットワーク通信部と、記憶部と、サーバ制御部とを備え、
前記複数のＡＥＤ収容ケースの各々は、無線信号発信部と、第３ネットワーク通信部と、アラート表示部と、出力部とを備え、
前記ＡＥＤの位置情報を更新する場合では、
前記無線信号発信部は、前記ＡＥＤ収容ケース又は前記ＡＥＤの識別情報を含む無線信号を発信し、
前記第１の携帯端末の前記無線信号受信部は、前記無線信号を受信し、
前記第１の携帯端末の前記携帯端末制御部は、前記受信した無線信号から前記識別情報を取得し、
前記第１の携帯端末の前記取得部は、前記第１の携帯端末の位置情報を取得し、
前記第１の携帯端末の前記第１ネットワーク通信部は、前記識別情報と前記位置情報を前記サーバに送信し、
前記第２ネットワーク通信部は、前記識別情報と前記位置情報を受信し、
前記サーバ制御部は、前記受信した識別情報及び位置情報に基づいて、前記記憶部に格納され、互いに関連付けられた前記複数のＡＥＤ収容ケース又は前記複数のＡＥＤの識別情報と位置情報を含む位置情報テーブルの内容を更新し、
前記第１又は第２の携帯端末から所定の範囲内にあるＡＥＤ収容ケースを前記複数のＡＥＤ収容ケースから探索する場合では、
前記第１又は第２の携帯端末の前記取得部は、自身の位置情報を取得し、
前記第１又は第２の携帯端末の前記第１ネットワーク通信部は、前記位置情報を前記サーバに送信し、
前記第２ネットワーク通信部は、前記位置情報を受信し、
前記サーバ制御部は、前記受信した位置情報及び前記位置情報テーブルに基づいて、前記第１又は第２の携帯端末から所定の範囲内にあるＡＥＤ収容ケースを前記複数のＡＥＤ収容ケースから選択し、
前記第２ネットワーク通信部は、前記位置情報及びアラート表示信号を前記選択されたＡＥＤ収容ケースに送信すると共に、前記選択されたＡＥＤ収容ケースの位置情報を前記第１又は第２の携帯端末に送信し、
前記選択されたＡＥＤ収容ケースの第３ネットワーク通信部は、前記アラート表示信号及び前記位置情報を受信し、
前記選択されたＡＥＤ収容ケースのアラート表示部は、前記アラート表示信号に従って、アラートを表示し、
前記選択されたＡＥＤ収容ケースの出力部は、前記位置情報に基づいて、前記第１又は第２の携帯端末の位置を示す第１マップを出力し、
前記第１又は第２の携帯端末の前記第１ネットワーク通信部は、前記選択されたＡＥＤ収容ケースの位置情報を受信し、
前記第１又は第２の携帯端末の前記携帯端末制御部は、前記選択されたＡＥＤ収容ケースの位置情報に基づいて、前記選択されたＡＥＤ収容ケースの位置を示す第２マップをディスプレイ上に表示する。
【００３２】
上記構成によれば、携帯端末から取得される位置情報を用いることで、ＡＥＤの機種に依存せずにＡＥＤの位置情報を更新できると共に、更新されたＡＥＤ位置情報に基づいて、第１又は第２の携帯端末から所定の範囲内にあるＡＥＤ収容ケースを複数のＡＥＤ収容ケースから選択できるＡＥＤシステムが提供される。特に、本ＡＥＤシステムによれば、ＡＥＤを用いた救命措置を心室細動によって倒れた患者に迅速に行うことができるため、患者の救命率を飛躍的に向上させることができる。
【００３３】
また、前記第２ネットワーク通信部はＡＥＤの使用可否に関する情報を受信し、前記サーバ制御部は、前記ＡＥＤの使用可否に関する情報に基づき、ＡＥＤ収容ケースを選択してもよい。
【００３４】
上記構成によれば、ＡＥＤの使用可否に関する情報に基づいてＡＥＤ収容ケースを選択するので、選択されたＡＥＤ収容ケースに収容されたＡＥＤが使用不可能であるといった状況を確実に防ぐことができる。特に、受信した位置情報、ＡＥＤの使用可否に関する情報及び位置情報テーブルに基づいて、携帯端末から所定の範囲内に存在しつつ、使用可能であるＡＥＤを備えたＡＥＤ収容ケースを選択することが可能となる。
【発明の効果】
【００３５】
本発明によれば、ＡＥＤの機種に依存せずにＡＥＤの位置情報を更新できるＡＥＤ位置情報更新システムを提供することができる。
【図面の簡単な説明】
【００３６】
【図１】携帯端末、サーバ及びＡＥＤ収容ケースのハードウェア構成を示した図である。
【図２】本実施形態に係るＡＥＤ位置情報更新システムを説明するための概略図である。
【図３】本実施形態に係るＡＥＤ位置情報更新システムを説明するためのシーケンス図である。
【図４】本実施形態に係るＡＥＤ収容ケース探索システムを説明するための概略図である。
【図５】本実施形態に係るＡＥＤ収容ケース探索システムを説明するためのシーケンス図である。
【発明を実施するための形態】
【００３７】
以下、本発明の実施形態について図面を参照しながら説明する。尚、本実施形態の説明において既に説明された要素と同一の参照番号を有する要素については、説明の便宜上、その説明は省略する。
【００３８】
図１は、携帯端末２、サーバ３及びＡＥＤ収容ケース４のハードウェア構成を示した図である。図１に示すように、携帯端末２、サーバ３及びＡＥＤ収容ケース４はインターネット等の通信ネットワーク１を介して互いに通信可能に接続されている。
【００３９】
携帯端末２は、例えば、スマートフォン、携帯電話、タブレット又はＧｏｏｇｌｅ  Ｇｌａｓｓ（登録商標）等のウェアラブル装置であって、使用者によって持ち運び可能な端末である。携帯端末２は、ビーコン受信部（無線信号受信部）２１と、入力インターフェース２２と、ディスプレイ２３と、第１ネットワーク通信部２４と、ＧＰＳ（取得部）２５と、通話部２６と、携帯端末制御部２７とを備える。これらの各要素はバス２８を介して互いに通信可能に接続されている。
【００４０】
ビーコン受信部２１は、無線信号であるビーコンを受信するように構成されており、後述するように、ＡＥＤ収容ケース４のビーコン発信部４１から発信されたビーコンを受信するように構成されている。入力インターフェース２２は、携帯端末２を操作する操作者の入力操作を受付けるように構成されており、例えば、ディスプレイ２３上に重ねて配置されたタッチディスプレイや、ディスプレイ２３とは別個に設けられた操作ボタン等である。
【００４１】
ディスプレイ２３は、画面（操作画面や各種アプリケーション画面等）を表示するように構成されている。第１ネットワーク通信部２４は、通信ネットワーク１と無線通信可能となるように構成されている。ＧＰＳ２５は、携帯端末２の位置情報を取得するように構成されている。通話部２６は、携帯端末２が無線基地局を介して他の携帯端末と通話可能となるように構成されている。
【００４２】
携帯端末制御部２７は、メモリとプロセッサを備えている。メモリは、例えば、各種プログラム等が格納されたＮＡＮＤ型フラッシュメモリと、プロセッサにより実行される各種プログラム等が格納される複数ワークエリアを有するＲＡＭ(Ｒａｎｄｏｍ  Ａｃｃｅｓｓ  Ｍｅｍｏｒｙ)とを備える。プロセッサは、例えばＣＰＵ(Ｃｅｎｔｒａｌ  Ｐｒｏｃｅｓｓｉｎｇ  Ｕｎｉｔ)であって、フラッシュメモリに格納されている各種プログラムから指定されたプログラムをＲＡＭに展開し、ＲＡＭとの協働で各種処理を実行するように構成されている。
【００４３】
携帯端末制御部２７は、携帯端末２の各種動作を制御するように構成されており、メモリに格納された携帯端末プログラムに従って動作する。携帯端末プログラムは、例えば通信ネットワーク１からダウンロードされる。携帯端末プログラムの詳細については後述する。
【００４４】
サーバ３は、第２ネットワーク通信部３１と、記憶部３２と、サーバ制御部３３とを備える。これらの各要素はバス３５を介して互いに通信可能に接続されている。第２ネットワーク通信部３１は、通信ネットワーク１と通信可能となるように構成されている。記憶部３２は、位置情報テーブル３４を格納するように構成される。位置情報テーブル３４は、互いに関連付けられた複数のＡＥＤ収容ケース４の識別情報と位置情報を含む。
尚、位置情報テーブル３４は、ＡＥＤ収容ケース４の識別情報と位置情報の代わりに、ＡＥＤ収容ケース４に収容されたＡＥＤ５の識別情報と位置情報を含んでいてもよい。
ＡＥＤ収容ケース４の識別情報の一例としては、ＡＥＤ収容ケース４の識別番号が挙げられる。ＡＥＤ収容ケース４の位置情報の一例としては、ＡＥＤ収容ケースの緯度と経度からなる位置座標が挙げられる。また、位置座標は、緯度と経度に加えて高さ方向を含めた３次元座標であってもよい。
複数のＡＥＤ収容ケース４の識別情報（識別番号）と位置情報（位置座標）からなる位置情報テーブル３４の一例は以下のようになる。
【００４５】
【表１】
0006616097.tif 000002
【００４６】
また、位置情報テーブル３４は、ＡＥＤ５の使用可否に関する情報を含んでもよい。ここで、「ＡＥＤ５の使用可否に関する情報」は、例えば、ＡＥＤ５の電極パッドの使用期限、ＡＥＤ５のバッテリの残量や自己診断による故障有無等の情報である。
【００４７】
サーバ制御部３３は、サーバ３の各種動作を制御するように構成されており、メモリとプロセッサを備えている。メモリは、プロセッサにより実行される各種プログラム等が格納される複数ワークエリアを有するＲＡＭ(Ｒａｎｄｏｍ  Ａｃｃｅｓｓ  Ｍｅｍｏｒｙ)を備える。プロセッサは、例えばＣＰＵ(Ｃｅｎｔｒａｌ  Ｐｒｏｃｅｓｓｉｎｇ  Ｕｎｉｔ)であって、指定されたプログラムをＲＡＭに展開し、ＲＡＭとの協働で各種処理を実行するように構成されている。
【００４８】
ＡＥＤ収容ケース４は、ＡＥＤ５を収容するように構成されており、ビーコン発信部（無線信号発信部）４１と、ＡＥＤ通信部４２と、出力部４３と、第３ネットワーク通信部４４と、記憶部４５と、アラート表示部４６と、ＡＥＤ収容ケース制御部４７とを備える。これらの各要素はバス４８を介して互いに通信可能に接続されている。
【００４９】
ビーコン発信部４１は、無線信号であるビーコンを間欠的又は連続的に発信するように構成されている。ビーコンは、ＡＥＤ収容ケース４の識別情報を含む。また、ビーコンは、ＡＥＤ収容ケース４の識別情報の代わりに、ＡＥＤ５の識別情報を含んでもよい。
ビーコンは、ＡＥＤ５の使用可否に関する情報をさらに含んでもよい。ＡＥＤ収容ケース４又はＡＥＤ５の識別情報は記憶部４５に格納されている。
【００５０】
ＡＥＤ通信部４２は、ＡＥＤ５と通信するように構成されており、ＡＥＤ５の使用可否に関する情報をＡＥＤ５から取得することができる。このように、ＡＥＤ通信部４２を設けることで、ＡＥＤ収容ケース４はＡＥＤ通信部４２を介してＡＥＤ５の情報を取得することができる。
【００５１】
出力部４３は、携帯端末２の位置を示すマップ（後述する）を紙に印刷するように構成されたプリンタや当該第１マップを画面上に表示するように構成されたディスプレイである。第３ネットワーク通信部４４は、通信ネットワーク１と通信可能となるように構成されている。アラート表示部４６は、アラート表示信号に従ってアラートを表示するように構成されており、例えば、ＡＥＤ収容ケース４の筐体上に設置された赤色ランプやアラート音を発するブザーである。
【００５２】
ＡＥＤ収容ケース制御部４７は、ＡＥＤ収容ケース４の各種動作を制御するように構成されており、メモリとプロセッサを備えている。メモリは、プロセッサにより実行される各種プログラム等が格納される複数ワークエリアを有するＲＡＭ(Ｒａｎｄｏｍ  Ａｃｃｅｓｓ  Ｍｅｍｏｒｙ)を備える。プロセッサは、例えばＣＰＵ(Ｃｅｎｔｒａｌ  Ｐｒｏｃｅｓｓｉｎｇ  Ｕｎｉｔ)であって、指定されたプログラムをＲＡＭに展開し、ＲＡＭとの協働で各種処理を実行するように構成されている。
【００５３】
次に、図１から図３を参照することで、本実施形態に係るＡＥＤ位置情報更新システムについて説明する。図２は、ＡＥＤ位置情報更新システムを説明するための概略図である。図３は、ＡＥＤ位置情報更新システムを説明するためのシーケンス図である。
【００５４】
図２に示すＡＥＤ位置情報更新システムは、それぞれＡＥＤ５ａ〜５ｃが収容されたＡＥＤ収容ケース４ａ〜４ｃと、携帯端末２ａ〜２ｃと、ＡＥＤ収容ケース４ａ〜４ｃ及び携帯端末２ａ〜２ｃと通信ネットワーク１を介して接続されたサーバ３とを備える。
【００５５】
尚、図２に示すＡＥＤ収容ケース４ａ〜４ｃの各々は、図１に示すＡＥＤ収容ケース４と同一の構成を有するものとする。同様に、携帯端末２ａ〜２ｃの各々は、図１に示す携帯端末２と同一の構成を有するものとする。
以降の説明では、携帯端末（第１の携帯端末）２ａを所持する通行人Ｐ１がＡＥＤ収容ケース４ａの付近にいるときに、ＡＥＤ５ａの位置情報が更新されるプロセスについて主に図３を参照して説明する。
【００５６】
図３に示すように、ＡＥＤ収容ケース４ａのビーコン発信部４１は、ＡＥＤ収容ケース４ａの識別情報と、ＡＥＤ５ａの使用可否に関する情報を含むビーコンを間欠的又は連続的に発信する（Ｓ１）。携帯端末２ａを所持する通行人Ｐ１が収容ケース４ａの付近（換言すれば、ビーコンを受信可能なビーコン受信可能範囲内）にいるときに、携帯端末２ａのビーコン受信部２１は、ビーコン発信部４１から発信されたビーコンを受信する（Ｓ２）。
【００５７】
次に、携帯端末制御部２７は、受信したビーコンからＡＥＤ収容ケース４ａの識別情報及びＡＥＤ５ａの使用可否に関する情報を取得する（Ｓ３）。さらに、ＧＰＳ２５は、携帯端末２ａの位置情報を取得する（Ｓ４）。その後、第１ネットワーク通信部２４は、ＡＥＤ収容ケース４ａの識別情報と、携帯端末２ａの位置情報と、ＡＥＤ５ａの使用可否に関する情報をサーバ３の第２ネットワーク通信部３１に通信ネットワーク１を介して送信する（Ｓ５）。
【００５８】
サーバ制御部３３は、第２ネットワーク通信部３１によって受信されたＡＥＤ収容ケース４ａの識別情報と、携帯端末２ａの位置情報に基づいて、位置情報テーブル３４の内容を更新する（Ｓ６）。
【００５９】
例えば、ＡＥＤ収容ケース４ａの識別番号Ｎ０００１であって、携帯端末２ａの位置座標が（経度３５．７２２３４，経度１３９．６８１３０）の場合、サーバ制御部３３は、表１に示された位置情報テーブル３４の識別番号Ｎ０００１に対応する位置座標を（経度３５．７２３３４，経度１３９．６８１３２）から（経度３５．７２２３４，経度１３９．６８１３０）に変更することで、位置情報テーブル３４の内容を更新する。
【００６０】
このように、携帯端末２ａのＧＰＳ２５によって取得された位置情報を用いてＡＥＤ収容ケース４ａの位置情報を更新することができる。また、上記で説明したプロセスと同様のプロセスにより、通行人Ｐ２が所持する携帯端末２ｂのＧＰＳ２５によって取得された位置情報を用いてＡＥＤ収容ケース４ｂの位置情報を更新することができると共に、通行人Ｐ３が所持する携帯端末２ｃのＧＰＳ２５によって取得された位置情報を用いてＡＥＤ収容ケース４ｃの位置情報を更新することができる。
【００６１】
また、ＡＥＤ５ａ〜５ｃはＡＥＤ収容ケース４ａ〜４ｃにそれぞれ収容されているので、ＡＥＤ収容ケース４ａ〜４ｃの位置情報とＡＥＤ５ａ〜５ｃの位置情報は同じである。従って、ＡＥＤ収容ケース４ａ〜４ｃの位置情報が更新されることで、ＡＥＤ５ａ〜５ｃの位置情報が更新される。
【００６２】
このように、本実施形態によれば、携帯端末２ａ〜２ｃのＧＰＳ２５によって取得される位置情報を用いることで、ＡＥＤの機種に依存せずにＡＥＤの位置情報を更新できるＡＥＤ位置情報更新システムを提供することができる。特に、ＧＰＳ機能を備えていない既存のＡＥＤにも対応可能なＡＥＤ位置情報更新システムを提供することができる。
【００６３】
また、本実施形態では、携帯端末２ａの位置情報をＡＥＤ収容ケース４ａの位置情報（又は、ＡＥＤ５ａの位置情報）としている。つまり、携帯端末２ａがビーコン発信部４１から発信されるビーコンを受信可能なビーコン受信可能範囲が大きくなる程、携帯端末２ａの位置情報とＡＥＤ収容ケース４ａの実際の設置位置との間の誤差は大きくなる。一方、当該ビーコン受信可能範囲が小さくなる程、上記誤差は小さくなるが、携帯端末２ａがビーコンを受信しにくくなってしまう。このように、両者のバランスを考慮してビーコン受信可能範囲は適宜設定される。
【００６４】
また、位置情報テーブル３４がＡＥＤ５ａの使用可否に関する情報をさらに含んでいる場合、サーバ制御部３３は、ＡＥＤ収容ケース４ａの識別情報と、携帯端末２ａの位置情報と、ＡＥＤ５ａの使用可否に関する情報に基づいて、位置情報テーブル３４の内容を更新してもよい。
【００６５】
このように、ビーコンがＡＥＤの使用可否に関する情報を含むので、ＡＥＤの位置情報だけでなくＡＥＤの使用可否に関する情報を更新できるＡＥＤ位置情報更新システムを提供することができる。
【００６６】
尚、本実施形態に係るＡＥＤ位置情報更新システムでは、ビーコンはＡＥＤ収容ケース４ａの識別情報を含んでいるが、これに代わって、ＡＥＤ５ａの識別情報を含んでもよい。
【００６７】
次に、図１，４，５を参照することで、本実施形態に係るＡＥＤ収容ケース探索システムについて説明する。図４は、ＡＥＤ収容ケース探索システムを説明するための概略図である。図５は、ＡＥＤ収容ケース探索システムを説明するためのシーケンス図である。
【００６８】
図４に示すＡＥＤ収容ケース探索システムは、それぞれＡＥＤ５ｄ〜５ｆが収容されたＡＥＤ収容ケース４ｄ〜４ｆと、携帯端末（第１の携帯端末又は第２の携帯端末）２ｄと、ＡＥＤ収容ケース４ｄ〜４ｆ及び携帯端末２ｄと通信ネットワーク１を介して接続されたサーバ３とを備える。
【００６９】
尚、図４に示すＡＥＤ収容ケース４ｄ〜４ｆの各々は、図１に示すＡＥＤ収容ケース４と同一の構成を有するものとする。同様に、携帯端末２ｄは、図１に示す携帯端末２と同一の構成を有するものとする。以降の説明では、携帯端末２ｄを所持する通行人Ｐ４が心室細動によって倒れた患者を発見したときに、通行人Ｐ４が当該患者にＡＥＤを提供するためにＡＥＤ収容ケースを探索するプロセスについて主に図５を参照して説明する。本説明では、携帯端末２ｄに最も近いＡＥＤ収容ケースをＡＥＤ収容ケース４ｄとする。
【００７０】
通行人Ｐ４が心室細動によって倒れた患者を発見したとき、通行人Ｐ４は自身の携帯端末２ｄにインストールされている所定のアプリケーションを起動し、入力インターフェース２２を介して所定の操作を携帯端末２ｄに行う。これにより、ＧＰＳ２５は携帯端末２ｄの位置情報を取得する（Ｓ１１）と共に、携帯端末２ｄの第１ネットワーク通信部２４は、携帯端末２ｄの位置情報をサーバ３の第２ネットワーク通信部３１に通信ネットワーク１を介して送信する（Ｓ１２）
【００７１】
サーバ制御部３３は、位置情報テーブル３４を読み出して（Ｓ１３）、第２ネットワーク通信部３１によって受信された携帯端末２ｄの位置情報及び位置情報テーブル３４に基づいて、携帯端末２ｄから最も近いＡＥＤ収容ケース４ｄをＡＥＤ収容ケース４ｄ〜４ｆから選択する（Ｓ１４）。例えば、携帯端末２ｄの位置座標と位置情報テーブル３４に含まれる全てのＡＥＤ収容ケースの位置座標に基づいて、携帯端末２ｄに最も近い位置座標を有するＡＥＤ収容ケース４ｄを位置情報テーブル３４から選択する。
【００７２】
また、サーバ制御部３３は、携帯端末２ｄの位置情報及び位置情報テーブル３４に基づいて、携帯端末２ｄから所定の範囲内（例えば、半径１００ｍ以内等）にあるＡＥＤ収容ケースをＡＥＤ収容ケース４ｄ〜４ｆから選択してもよい。この場合、携帯端末２ｄから半径１００ｍ以内に複数のＡＥＤ収容ケースが存在する場合には、サーバ制御部３３は、複数のＡＥＤ収容ケースを選択してもよい。
【００７３】
また、位置情報テーブル３４の内容は、本実施形態に係るＡＥＤ位置情報更新システムによって更新されているため、ＡＥＤ収容ケースの設置位置が当初から変更されている場合でも、当該変更された設置位置に対応する位置情報が位置情報テーブル３４に書き込まれる。このように、更新された位置情報テーブル３４に基づいて、携帯端末２ｄから最も近い又は所定の範囲内にあるＡＥＤ収容ケースを複数のＡＥＤ収容ケースから選択することができる。
【００７４】
第２ネットワーク通信部３１は、携帯端末２ｄの位置情報及びアラート表示信号を選択されたＡＥＤ収容ケース４ｄの第３ネットワーク通信部４４に通信ネットワーク１を介して送信する（Ｓ１５）。その後、アラート表示部４６は、第３ネットワーク通信部４４に受信されたアラート表示信号に従って、アラートを表示する（Ｓ１６）。さらに、出力部４３は、第３ネットワーク通信部４４に受信された携帯端末２ｄの位置情報に基づいて、携帯端末２ｄの位置を示す第１マップを出力する（Ｓ１７）。例えば、出力部４３は、第１マップを紙に印刷するように構成されたプリンタであってもよい。
【００７５】
また、第２ネットワーク通信部３１は、選択されたＡＥＤ収容ケース４ｄの位置情報を携帯端末２ｄの第１ネットワーク通信部２４に通信ネットワーク１を介して送信する（Ｓ１８）。その後、携帯端末制御部２７は、ＡＥＤ収容ケース４ｄの位置情報に基づいて、ＡＥＤ収容ケース４ｄの位置を示す第２マップをディスプレイ２３上に表示する（Ｓ１９）。尚、図５に示すシーケンス図では、ステップＳ１５はステップＳ１８の前に実行されているが、ステップＳ１５とステップＳ１８は同時に実行されてもよいし、ステップＳ１５はステップＳ１８の後に実行されてもよい。
【００７６】
本実施形態に係るＡＥＤ収容ケース探索システムによれば、携帯端末２ｄから所定の範囲内又は最も近くにあるＡＥＤ収容ケースを複数のＡＥＤ収容ケース４ｄ〜４ｆから選択できるＡＥＤ収容ケース探索システムを提供することができる。本システムによれば、心室細動によって倒れた患者にＡＥＤをいち早く提供することができる。このため、ＡＥＤを用いた救命措置を患者に迅速に行うことができ、患者の救命率を飛躍的に向上させることができる。
【００７７】
さらに、携帯端末２ｄの位置を示す第１マップが、選択されたＡＥＤ収容ケース４ｄに出力されると共に、選択されたＡＥＤ収容ケース４ｄの位置を示す第２マップが携帯端末２ｄに表示される。このように、携帯端末２ｄを所持する通行人Ｐ４は、ＡＥＤ収容ケース４ｄの位置を第２マップにより把握できるので、いち早くＡＥＤ５ｄを心室細動によって倒れた患者に提供することができる。さらに、ＡＥＤ収容ケース４ｄの付近にいる通行人Ｐ５は、アラート表示部４６によって示されるアラートにより患者の存在に気づき、患者の位置を第１マップにより把握できるので、ＡＥＤ収容ケース４ｄに収容されたＡＥＤ５ｄを患者にいち早く届けることができる。このように、ＡＥＤを用いた救命措置を患者に迅速に行うことができるため、患者の救命率を飛躍的に向上させることができる。
【００７８】
また、出力部４３がプリンタである場合、選択されたＡＥＤ収容ケース４ｄの付近にいる通行人Ｐ５が、第１マップが印刷された紙を携帯することで、ＡＥＤ収容ケース４ｄに収容されたＡＥＤ５ｄを患者に確実に届けることが可能となる。
【００７９】
また、本実施形態に係るＡＥＤ収容ケース探索システムでは、サーバ３の第２ネットワーク通信部３１は、ステップＳ１４の前にＡＥＤ５ｄ〜５ｆの使用可否に関する情報をＡＥＤ収容ケース４ｄ〜４ｆから受信してもよい。この場合、サーバ制御部３３は、携帯端末２ｄの位置情報、位置情報テーブル３４及びＡＥＤ５ｄ〜５ｆの使用可否に関する情報に基づいて、携帯端末２から所定の範囲内（例えば、半径１００ｍ以内等）にあるＡＥＤ収容ケースをＡＥＤ収容ケース４ｄ〜４ｆから選択してもよい。例えば、携帯端末２ｄから半径１００ｍ以内に２つのＡＥＤ収容ケース４ｄ，４ｅが存在する場合であって、ＡＥＤ収容ケース４ｅのＡＥＤ５ｅの使用ができない場合、サーバ制御部３３は、携帯端末２ｄの位置情報、位置情報テーブル３４及びＡＥＤ５ｄ〜５ｆの使用可否に関する情報に基づいて、ＡＥＤ収容ケース４ｄを選択する。
【００８０】
このように、ＡＥＤの使用可否に関する情報に基づいてＡＥＤ収容ケースが選択されるので、選択されたＡＥＤ収容ケースに収容されたＡＥＤが使用不可能であるといった状況を確実に防ぐことができる。特に、携帯端末２ｄの位置情報、ＡＥＤ５ｄ〜５ｆの使用可否に関する情報及び位置情報テーブル３４に基づいて、携帯端末２ｄから所定の範囲内に存在しつつ、使用可能であるＡＥＤを備えたＡＥＤ収容ケースを選択することが可能となる。
【００８１】
また、本実施形態に係るＡＥＤ位置情報更新システムとＡＥＤ収容ケース探索システムを組み合わせたＡＥＤシステムによれば、携帯端末２から取得される位置情報を用いることで、ＡＥＤ５の機種に依存せずに位置情報テーブル３４を更新できると共に、更新された位置情報テーブル３４に基づいて携帯端末２ｄから最も近い又は所定の範囲内にあるＡＥＤ収容ケース４を複数のＡＥＤ収容ケース４から選択できる。
【００８２】
また、本実施形態に係るＡＥＤ位置情報更新システム及びＡＥＤ収容ケース探索システムを実現するためには、各通行人が所持する携帯端末２に当該システムに必要とされる携帯端末プログラムが組み込まれていればよい。例えば、当該携帯端末プログラムは、携帯端末制御部２７のＮＡＮＤ型フラッシュメモリ等に組み込まれる。当該携帯端末プログラムは、通信ネットワーク１を介して携帯端末２にダウンロードされてもよい。また、当該携帯端末プログラムはＳＤカード等の非一時的(non-transitory)な記憶媒体に格納されていてもよい。この場合、非一時的な記憶媒体に格納された当該携帯端末プログラムが携帯端末２によって読み出されることで、携帯端末２に組み込まれる。
【００８３】
当該携帯端末プログラムは、携帯端末制御部２７に、ＡＥＤ収容ケース４から発信されたビーコンを受信するようにビーコン受信部２１を制御する機能と、受信したビーコンからＡＥＤ収容ケース４又はＡＥＤ５の識別情報を取得する機能と、携帯端末２の位置情報を取得するようにＧＰＳ２５を制御する機能と、ＡＥＤ収容ケース４又はＡＥＤ５の識別情報と携帯端末２の位置情報のうち少なくとも一つをサーバ３に送信するように第１ネットワーク通信部２４を制御する機能と、サーバ３によって選択されたＡＥＤ収容ケース４ｄの位置情報を受信するように第１ネットワーク通信部２４を制御する機能と、選択されたＡＥＤ収容ケース４ｄの位置情報に基づいて、選択されたＡＥＤ収容ケース４ｄの位置を示すマップをディスプレイ２３上に表示する機能と、を実現させる。
【００８４】
このように、携帯端末プログラムを各個人が所有する携帯端末２にインストールすることで、ＡＥＤの位置情報更新システム及びＡＥＤ収容ケース探索システムを構築することが可能となる。
【００８５】
以上、本発明の実施形態について説明をしたが、本発明の技術的範囲が本実施形態の説明によって限定的に解釈されるべきではないのは言うまでもない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００８６】
１  通信ネットワーク
２，２ａ〜２ｄ  携帯端末
３  サーバ
４，４ａ〜４ｆ  ＡＥＤ収容ケース
５，５ａ〜５ｆ  ＡＥＤ
２１  ビーコン受信部（無線信号受信部）
２２  入力インターフェース
２３  ディスプレイ
２４  第１ネットワーク通信部
２５  ＧＰＳ（取得部）
２６  通話部
２７  携帯端末制御部
２８  バス
３１  第２ネットワーク通信部
３２  記憶部
３３  サーバ制御部
３４  位置情報テーブル
３５  バス
４１  ビーコン発信部（無線信号発信部）
４２  ＡＥＤ通信部
４３  出力部
４４  第３ネットワーク通信部
４５  記憶部
４６  アラート表示部
４７  ＡＥＤ収容ケース制御部
４８  バス
Ｐ１〜Ｐ５  通行人
【図１】
0006616097.tif 000003
【図２】
0006616097.tif 000004
【図３】
0006616097.tif 000005
【図４】
0006616097.tif 000006
【図５】
0006616097.tif 000007